(57)【特許請求の範囲】
【請求項１】
受信復調信号のレベル低下時にスケルチ動作による回線切替を行うスケルチ動作制御システムにおいて、受信復調信号を所定レベル低下させた第２の受信復調信号を生成し、前記受信復調信号のレベルが基準レベルより低下した時に、前記第２の受信復調信号のレベルが前記基準レベルより低下してから所定時間経過している場合に、スケルチ動作を行うことを特徴とするスケルチ動作制御システム。
【請求項２】
回線を識別するための識別コードを含むＲＦ帯受信信号を受信してＩＦ帯信号に変換する入力手段と、前記ＩＦ帯信号を復調して第１の復調信号を出力する第１の復調手段と、前記ＩＦ帯信号を前記第１の復調手段よりも低いレベルに減衰する減衰手段と、前記減衰手段から出力される信号を復調して第２の復調信号を出力する第２の復調手段と、前記第１の復調信号に含まれる識別信号を検出できなくなったときに前記第２の復調信号に含まれる識別信号を検出できなくなってから所定時間経過している場合にスケルチ動作を行う制御手段を有することを特徴とするスケルチ動作制御システム。
【請求項３】
前記入力手段から前記減衰手段に出力されるＩＦ帯信号を前記第２の復調手段に出力されるよう切り替える切替手段を備えることを特徴とする請求項２記載のスケルチ動作制御システム。
【発明の詳細な説明】
【０００１】
【発明の属する技術分野】
本発明はスケルチ動作制御システムに関し、特に、マイクロ波通信システムの中間中継局のスケルチ動作制御システムに関する。
【０００２】
【従来の技術】
図６は、従来のマイクロ波通信方式におけるスケルチ動作制御システムのシステム全体を示すブロック図である。端局６０は、中間中継局６１を介して端局６２とマイクロ波通信を行う。中間中継局６１は、非再生方式の中間中継局で、端局６０からのマイクロ波信号を受信する中間中継局受信部６１１と、端局６２へマイクロ波信号を送信する中間中継局送信部６１２を有する。
【０００３】
このような非再生方式の中間中継局における信号の増幅は、一般的に受信すべき信号のレベル低下時に干渉波があると干渉波の方を増幅してしまい、不要波送出の原因になってしまう。そのため受信レベル低下時はその通信回線を切断する技術が要求されており、例えば特開平４−３４４７１７号公報には、送信側から識別コードを含む信号を送出し、受信すべき信号のレベルが低下して受信機で信号の中に含まれる識別コードを検出できなくなるとスケルチ動作を行うことが開示されている。
【０００４】
これら従来のマイクロ波通信方式におけるスケルチ動作制御システムでは、一つの受信信号について一つの入力回路で監視を行い、規定された識別コードが検出可能かどうかでスケルチ動作の判断を行うものである。
【０００５】
図７は、従来のスケルチ動作制御システムの構成を示すブロック図である。図７に示す従来のスケルチ動作制御システムは、マイクロ波信号を受信するための受信アンテナ１と、変調されている受信した信号を取り込み、信号をＲＦ帯からＩＦ帯に変換する入力回路２と、変調された信号を復調するＤＥＭ３と、識別コードを検出するため、復調された信号をＣＰＵで取り込めるよう変換するＳＣＵ４と、スケルチ送出時の信号源となるＳＱＬ  ＩＤ５と、スケルチ信号を変調するＭＯＤ６と、ＣＰＵ７１とソフトの組み込まれたメモリ７２を有し、スケルチ動作の判断ロジックを実行するコンピュータ７と、コンピュータ７からの指示によりスケルチ信号の出力回路９への入力、及び受信した信号の回線の切断を行う切替器（ＳＷ）８と、信号をＩＦ帯からＲＦ帯に変換して送信する出力回路９と、マイクロ波として送信するための送信アンテナ１０とを備える。
【０００６】
次に図７に示す従来のスケルチ動作制御システムの動作について説明する。
受信アンテナ１で受信した信号は入力回路２でＲＦ帯からＩＦ帯に変換され、ＤＥＭ３でＤＥＭ復調される。また入力回路２から出力されたもう一方の信号は切替器８を通して出力回路９にそのまま送出され、再びＲＦ帯の信号に変換され、送信アンテナ１０からマイクロ波信号として出力される。
【０００７】
ＳＣＵ４はＤＥＭ３からのデジタル化されたシリアルデータを受信し、コンピュータ７で解析し、識別コードを検出することにより、通信回線の品質が維持されているかを確認する。回線品質が維持されていれば、切替器８で入力回路２からのデータを出力回路９に送るよう切替器８を設定する。回線品質が維持できていないと判断した時はＳＱＬ  ＩＤ５からの信号を出力回路９に送るよう切替器８を設定する。
【０００８】
【発明が解決しようとする課題】
上述した従来のスケルチ動作制御システムでは、実際に運用している状態において識別コードを検出できない場合にその要因として、受信すべき信号のレベルの低下や受信機の故障のほかに、伝送路中フェージング等による一時的なノイズ、スケルチ動作判断回路のタイミング／負荷によるデータの取りこぼしエラー、送信側の一時的なトラブルなどが考えられるために、回線切断／スケルチ動作の判断が難しく、比較的長い時間（１０〜２０秒）信号を監視しなければならず、不要波の送出、他系統へ切替えの遅れなどの時間を増大させてしまうという問題点があった。
【０００９】
本発明は上記問題に鑑みてなされたものであって、本発明は、回線状態が悪化したかどうかの判断を速やかに行い、他の回線への移行の時間を短縮することが可能なスケルチ動作制御システムを提供することを目的とする。
【００１０】
また、本発明の他の目的は、上記目的に加えて、システムの信頼性の向上を図ることである。
【００１１】
【課題を解決するための手段】
請求項１記載の発明は、受信復調信号のレベル低下時にスケルチ動作による回線切替を行うスケルチ動作制御システムにおいて、受信復調信号を所定レベル低下させた第２の受信復調信号を生成し、前記受信復調信号のレベルが基準レベルより低下した時に、前記第２の受信復調信号のレベルが前記基準レベルより低下してから所定時間経過している場合に、スケルチ動作を行うことを特徴とする。
【００１２】
請求項２記載の発明は、回線を識別するための識別コードを含むＲＦ帯受信信号を受信してＩＦ帯信号に変換する入力手段と、前記ＩＦ帯信号を復調して第１の復調信号を出力する第１の復調手段と、前記ＩＦ帯信号を前記第１の復調手段よりも低いレベルに減衰する減衰手段と、前記減衰手段から出力される信号を復調して第２の復調信号を出力する第２の復調手段と、前記第１の復調信号に含まれる識別信号を検出できなくなったときに前記第２の復調信号に含まれる識別信号を検出できなくなってから所定時間経過している場合にスケルチ動作を行う制御手段を有することを特徴とする。
【００１３】
請求項３記載の発明は、請求項２記載の発明において、前記入力手段から前記減衰手段に出力されるＩＦ帯信号を前記第２の復調手段に出力されるよう切り替える切替手段を備えることを特徴とする。
【００１４】
【発明の実施の形態】
次に本発明の実施形態について図面を参照して詳細に説明する。図１は本発明のスケルチ動作制御システムにかかわる実施形態の構成を示すブロック図である。本実施形態のスケルチ動作制御システムは、図７に示した従来のスケルチ動作制御システムの構成に加えて、入力回路２から出力されるＩＦ帯信号のレベルを下げるＡＴＴ（減衰器）１１と、ＡＴＴ（減衰器）１１から出力された信号を復調する第２のＤＥＭ１２と、復調信号から識別コードを検出するため、第２のＤＥＭ１２で復調された信号をＣＰＵで取り込めるよう変換する第２のＳＣＵ１３を備える。
【００１５】
次に本実施形態の動作について図面を参照して詳細に説明する。図１において、受信アンテナ１で受信した信号は入力回路２によりＲＦ帯からＩＦ帯に変換され、ＩＦ信号は分岐され一方はそのままＤＥＭ３に入力され、一方はＡＴＴ１１を通してＤＥＭ１２に入力されるため、感度がその分低くなる。それらの信号は、それぞれＤＥＭ復調され、また入力回路２からの信号の一方は切替器８を通して出力回路９にそのまま送出され、再びＲＦ帯の信号に変換され、送信アンテナ１０からマイクロ波信号として出力される。
【００１６】
ＳＣＵ４、１３はＤＥＭ３、１２からのデジタル化されたシリアルデータを受信し、コンピュータ７で解析し、識別コードを検出することにより、通信回線の品質が維持されているかを確認する。品質が維持されていれば、切替器８で入力回路２からのデータを出力回路９に送るよう切替器８を設定する。回線品質が維持できていないと判断した時はＳＱＬ  ＩＤ５からの信号を出力回路９に送るよう切替器８を設定する。
【００１７】
図２は、本実施形態のスケルチ動作制御システムにおけるスケルチ動作制御手順を示すフローチャート図である。コンピュータ７はＤＥＭ３、１２から送信されてくる通信データを定期的に取り込み（ステップ２０１、２０２）、データのエラーがなく、ＤＥＭ３からの通信データに含まれる識別コードを認識できる通常の状態の時は（ステップ２０３  ＹＥＳ）、次に送信されてくるデータを受信し、同じ処理を繰り返す。
【００１８】
ＤＥＭ３からの通信データに含まれる識別コードが認識できない状況が発生した場合（ステップ２０３  ＮＯ）、感度の低い方のＤＥＭ１２側での、今までの回線状態を解析し、過去の履歴を調べる（ステップ２０４）。その結果、それまでに既に識別コードが認識できなくなってから充分な時間（約１０秒程度）が経過していた場合は、徐々に受信レベルが低下してきたものと判断でき（ステップ２０５）、スケルチ動作処理を発動し、切替器８の切替を行う。
【００１９】
ステップ２０４、２０５で上記以外の場合は、スケルチ動作を発動すべき永続的な機器の故障か、その他の原因による一時的な回線品質低下でスケルチ動作を発動すべきでないか、判断できないため従来例と同様に十分な時間をかけて、何度か同様のループ（ステップ２０１〜２０５）を繰り返した後、スケルチ動作発動の判断を行う。
【００２０】
図３は、長周期のフェージング、天候の悪化などにより徐々に受信レベルが低下してきた場合の受信レベルの変化を示す波形図である。ｔ１では受信レベルの低い方のＤＥＭ１２からの信号から識別コードが検出できなくなった状態で、ｔ２では本来の受信レベルでのＤＥＭ３でも識別コードが検出できなくなった場合である。
【００２１】
従来例ではこのｔ２の状態から、しばらくこの状態（１０〜２０秒）が続くことを監視してからスケルチ動作を発動する。本実施形態ではｔ２の時点でｔ１から充分時間が経っていた場合は徐々に受信レベルが低下し、また急激に受信レベルが回復する可能性が少なく会話に影響がでるものと考えスケルチ動作を発動する。
【００２２】
図４はデータの取りこぼしエラー、送信側の瞬間的なトラブルなど、一時的に受信レベルが低下した場合と、受信機の故障により、急激に受信レベルが低下した場合の受信レベルの変化を示す波形図である。
【００２３】
一時的に受信レベルが低下した場合は、ｔ３の受信レベルの低いＤＥＭ１２からの信号から識別コードが検出できなくなった状態と、ｔ４の本来の受信レベルでのＤＥＭ３でも識別コードが検出できなくなった状態の時間差が少なく、スケルチの動作の発動を行わない。
【００２４】
また送受信機の故障により受信レベルが低下した場合は同様にｔ５、ｔ６の時間差が少なくなり、従来例と同様にしばらく回線状態を監視した後、ｔ７でスケルチ動作を発動する。
【００２５】
本発明の他の実施形態として、その基本的構成は上記の通りであるが、図５に示すように、入力回路２からＡＴＴ１１への出力先を切り替える切替器１４を設けることにより、前述した使用形態の他に、以下の機能を追加することができる。受信レベルの低いＤＥＭ１２からの信号から識別コードが検出できている状態で、本来の受信レベルでのＤＥＭ３で識別コードが検出できなくなった場合、ＤＥＭ３あるいはＳＣＵ４の故障と判断できる。よってＡＴＴ１１を切り離し、入力回路２のＡＴＴ１１への出力を直接ＤＥＭ１２と接続し、従来のスケルチ制御動作システムを維持することができ、ＤＥＭ１２、ＳＣＵ１３をＤＥＭ３、ＳＣＵ４の予備系として使用することで信頼性を向上させることができる。
【００２６】
【発明の効果】
以上説明したように、本発明によれば、受信レベル低下時のスケルチ動作までの時間を、従来よりも早く設定する事ができ、また入力回路のトラブルによる誤った回線切断の判断を、より的確に判断することができるという効果がある。
【００２７】
また、本発明によれば、受信レベル低下時のスケルチ動作までの時間を、従来よりも早く設定する事ができ、また入力回路のトラブルによる誤った回線切断の判断を、より的確に判断するとともに、システムの信頼性を向上させることができる。
【図面の簡単な説明】
【図１】  本発明のスケルチ動作制御システムの構成を示すブロック図である。
【図２】  本実施形態のスケルチ動作制御手順を示すフローチャート図である。
【図３】  本実施形態において、受信レベルが徐々に低下してきた場合の受信レベルの変化を示す波形図である。
【図４】  一時的に受信レベルが低下した場合、及び急激に受信レベルが低下した場合の受信レベルの変化を示す波形図である。
【図５】  本発明の他の実施形態の構成を示すブロック図である。
【図６】  従来のマイクロ波通信方式におけるスケルチ動作制御システムのシステム全体を示すブロック図である。
【図７】  従来のスケルチ動作制御システムの構成を示すブロック図である。
【符号の説明】
１    受信アンテナ
２    入力回路
３    ＤＥＭ
４    ＳＣＵ
５    ＳＱＬ  ＩＤ
６    ＭＯＤ
７    コンピュータ
８    切替器
９    出力回路
１０  送信アンテナ
１１    ＡＴＴ（減衰器）
１２    ＤＥＭ
１３    ＳＣＵ
１４    切替器
６０    端局
６１    中間中継局
６２    端局
７１    ＣＰＵ
７２    メモリ
６１１    中継中間局受信部
６１２    中継中間局送信部
【図１】
0003950701.tif 000002
【図２】
0003950701.tif 000003
【図３】
0003950701.tif 000004
【図４】
0003950701.tif 000005
【図５】
0003950701.tif 000006
【図６】
0003950701.tif 000007
【図７】
0003950701.tif 000008